(57)【要約】      （修正有）【課題】組み立ての自由度が向上でき、かつシールド効果を向上することができる支柱部材及びシールドブースを提供する。【解決手段】支柱部材１は、柱状の支柱部材１であって、周面に長手方向に沿って複数形成された溝部１１を備え、溝部１１は、端面において周面から中心部に向かうスリット部１２と、スリット部１２と連続して先端部に膨出するように形成され、シール部材１５が配設されるシール部材配設部１３と、を有している。シール部材配設部１３は、スリット部１２より中心方向及び幅方向の長さ寸法が大きい。【選択図】図９
0003232989.tif 000002
【実用新案登録請求の範囲】
【請求項１】
柱状の支柱部材であって、
周面に長手方向に沿って複数形成された溝部を備え、
前記溝部は、端面において前記周面から中心部に向かうスリット部と、前記スリット部と連続して先端部に膨出するように形成され、シール部材が配設されるシール部材配設部と、を有していることを特徴とする支柱部材。
【請求項２】
前記シール部材配設部は、前記スリット部より中心方向及び幅方向の長さ寸法が大きいことを特徴とする請求項１に記載の支柱部材。
【請求項３】
前記支柱部材は、四角柱状であり、各４つの周面に長手方向に沿って前記溝部が形成されていることを特徴とする請求項１又は請求項２に記載の支柱部材。
【請求項４】
前記支柱部材の端面における略中央部には、長手方向に沿って嵌合孔が形成されていることを特徴とする請求項１乃至請求項３のいずれか一項に記載の支柱部材。
【請求項５】
柱状の支柱部材であって、
周面に長手方向に沿って複数形成された溝部を備え、
前記溝部は、端面において前記周面から中心部に向かうスリット部と、前記スリット部と連続して先端部に膨出するように形成され、シール部材が配設されるシール部材配設部とを有する複数の第１の溝部と、前記複数形成された溝部のうちの１つが外方へ突出するシール部材が取り付けられる第２の溝部とであることを特徴とする支柱部材。
【請求項６】
前記第１の溝部のシール部材配設部は、前記スリット部より中心方向及び幅方向の長さ寸法が大きいことを特徴とする請求項５に記載の支柱部材。
【請求項７】
前記支柱部材は、四角柱状であり、３つの周面に前記第１の溝部が形成され、１つの周面に前記第２の溝部が形成されていることを特徴とする請求項５又は請求項６に記載の支柱部材。
【請求項８】
前記支柱部材の端面における略中央部には、長手方向に沿って嵌合孔が形成されていることを特徴とする請求項５乃至請求項７のいずれか一項に記載の支柱部材。
【請求項９】
本体部と、
前記本体部から外方に向かって異なる方向に突出し、請求項４に記載の嵌合孔又は請求項８に記載の嵌合孔に嵌合する複数の突出部と、
を具備することを特徴とする継手部材。
【請求項１０】
請求項１乃至請求項４のいずれか一項に記載の支柱部材と、請求項５乃至請求項８のいずれか一項に記載の支柱部材とが複数組み合わされて骨組みが構成されていることを特徴とするシールドブース。
【請求項１１】
前記骨組みを構成する請求項１乃至請求項４のいずれか一項に記載の支柱部材間には、ステーが取り付けられていることを特徴とする請求項１０に記載のシールドブース。
【請求項１２】
請求項５乃至請求項８のいずれか一項に記載の支柱部材によって、底面に枠状部が形成されることを特徴とする請求項１０に記載のシールドブース。
【考案の詳細な説明】
【技術分野】
【０００１】
本考案は、ウイルスや細菌等による感染症を防止するのに適するシールドブースの骨組みを構成する支柱部材、継手部材及びこの支柱部材を用いて組み立てられるシールドブースに関する。
【背景技術】
【０００２】
新型コロナウイルスによる感染症のパンデミックは、社会の至る所に影響を及ぼしており、例えば、家庭内、飲食店、カラオケ店、事務所、パチンコ店や介護施設等において感染症を効果的に防止するためシールドブースを提供することが考えられている。このシールドブースは、外気を有効に遮断する内空間を形成して、当該内空間に人が収容されるようになる。
このようなシールドブースにおいては、組み立ての自由度が向上でき、かつシールド効果の向上が求められる。
【先行技術文献】
【特許文献】
【０００３】
【特許文献１】特開２００８−１９６８３号公報
【特許文献２】実開昭５８−２７４２０号公報
【特許文献３】実用新案登録第３２２８４５３号公報
【特許文献４】特開２０１１−２３１９８９号公報
【特許文献５】実用新案登録第３１０８５３６号公報
【特許文献６】実用新案登録第３２３１４０２号公報
【考案の概要】
【考案が解決しようとする課題】
【０００４】
本考案は、上記課題に鑑みなされたもので、組み立ての自由度が向上でき、かつシールド効果を向上することができる支柱部材、継手部材及びシールドブースを提供することを目的とする。
【課題を解決するための手段】
【０００５】
本考案の実施形態による支柱部材は、柱状の支柱部材であって、周面に長手方向に沿って複数形成された溝部を備え、前記溝部は、端面において前記周面から中心部に向かうスリット部と、前記スリット部と連続して先端部に膨出するように形成され、シール部材が配設されるシール部材配設部と、を有している。
【０００６】
また、本考案の実施形態による支柱部材は、柱状の支柱部材であって、周面に長手方向に沿って複数形成された溝部を備え、前記溝部は、端面において前記周面から中心部に向かうスリット部と、前記スリット部と連続して先端部に膨出するように形成され、シール部材が配設されるシール部材配設部とを有する複数の第１の溝部と、前記複数形成された溝部のうちの１つが外方へ突出するシール部材が取り付けられる第２の溝部とであることを特徴とする。
本考案の実施形態による継手部材は、支柱部材相互を接続固定する構成を備えている。
さらに、本考案の実施形態によるシールドブースは、前記支柱部材が複数組み合わされて骨組みが構成されていることを特徴とする。
【０００７】
かかる考案によれば、組み立ての自由度が向上でき、かつシールド効果を向上することができる支柱部材、継手部材及びシールドブースを提供することが可能となる。
【０００８】
支柱部材、継手部材及びシールドブースは、家庭内、飲食店（焼き肉店、カウンタ食堂を含む）、居酒屋、カラオケ店、事務所、学校、図書館、パチンコ店、介護施設及び喫煙所等、その他集合場所に設置し感染症の防止のために好適に用いることができる。支柱部材及び継手部材はこれらシールドブースに好適に用いられるが、これに限らない。シールドが必要な各種骨組みに適用できる。
【考案の効果】
【０００９】
本考案の実施形態によれば、組み立ての自由度が向上でき、かつシールド効果を向上することができる支柱部材、継手部材及びシールドブースを提供することが可能となる。
【図面の簡単な説明】
【００１０】
【図１】本考案の実施形態に係るシールドブースの主として骨組みの概略を示す構成図である。
【図２】同シールドブースを示す側面図である。
【図３】同シールドブースを示す背面図である。
【図４】同シールドブースを示す上面図である。
【図５】本考案の実施形態に係る支柱部材を示す部分的な斜視図である。
【図６】同支柱部材の端面を示す図である。
【図７】同支柱部材を示す部分的な斜視図である。
【図８】同支柱部材の端面を示す図である。
【図９】同支柱部材にシール部材が配設された状態を示す図である。
【図１０】同じく、支柱部材にシール部材が配設された状態を示す図である。
【図１１】同支柱部材が接続されて組み立てられている状態を示す説明図である。
【図１２】連結金具を示す斜視図である。
【図１３】連結金具による支柱部材の固定状態を示す説明図である。
【図１４】同シールドブースにおけるマット部材を示す斜視図である。
【図１５】同シールドブースにおけるマット部材を配設する状態を示す斜視図である。
【図１６】同シールドブースにおけるマット部材の配設が完了した状態を示す斜視図である。
【図１７】図７中、Ｘ−Ｘ線に沿う断面図である。
【図１８】同シールドブースにおける入口扉を示す正面図である。
【図１９】図１８中、Ｘ−Ｘ線に沿う断面図である。
【図２０】同シールドブースにおける入口扉を示す側断面図である。
【図２１】図２０中、Ａ部の拡大図である。
【図２２】同シールドブースにおける扉本体とタイミングプーリとの関係を示す構成図である。
【図２３】同シールドブースにおける飲食の出入口を示し、（ａ）は正面図であり、（ｂ）はＹ−Ｙ線に沿う断面図である。
【図２４】同シールドブースを２席連接した状態を示す上面図である。
【図２５】同シールドブースを４席連接した状態を示す上面図である。
【図２６】本考案の異なる実施形態に係る支柱部材を示す部分的な斜視図である。
【図２７】同支柱部材の端面を示す図である。
【図２８】同支柱部材を示す部分的な斜視図である。
【図２９】同支柱部材の端面を示す図である。
【図３０】同継手部材を示す斜視図である。
【図３１】同じく、継手部材を示す正面図、上面図及び側面図である。
【図３２】同継手部材を示す斜視図である。
【図３３】同じく、継手部材を示す正面図、上面図及び側面図である。
【図３４】同支柱部材が接続固定される前の状態を示す説明図である。
【図３５】同じく、支柱部材の接続固定が完了した状態を示す説明図である。
【考案を実施するための形態】
【００１１】
本考案の支柱部材はシールドブースの骨組みに好適に用いられ、シールドブースは、シールドブース内の内空間を外気から有効に遮断するように構成され、内空間に収容される人の感染症を防止し、併せて内空間に収容される人から外部の他者への感染症を防止するものである。
【００１２】
以下、本考案の実施形態に係る支柱部材及びシールドブースについて図１乃至図２３を参照して説明する。図１は、シールドブースの主として骨組みの概略を示す構成図であり、図２は、シールドブースを示す側面図であり、図３は、シールドブースを示す背面図であり、図４は、シールドブースを示す上面図である。また、図５乃至図１３は、支柱部材を示す説明図であり、図１４乃至図１７は、マット部材を説明するための説明図であり、図１８乃至図２２は、入口扉を説明するための説明図であり、図２３は、飲食の出入口を示す構成図である。なお、各図において、同一部分には同一符号を付し、重複する説明は省略する。
本実施形態のシールドブースは、主として飲食店等に設置して飲食の場で用いられるものであって、個室的な空間を確保するものである。
【００１３】
図１乃至図４に示すように、シールドブース１０は、骨組みを構成する複数の支柱部材１と、この支柱部材１に取り付けられて内空間を形成する包囲体２とを備えている。また、シールドブース１０は、ボックス状であり、人Ｐｓが入り収容されるメインブロック１０ａと、飲食の出入口が設けられたサブブロック１０ｂとを有している。シールドブース１０の寸法は、全体として側面視において高さ寸法が１９００ｍｍ〜２０００ｍｍ、横寸法が１０００ｍｍ〜１２００ｍｍ、幅寸法が６００ｍｍ〜７００ｍｍ程度である。但し、この寸法は格別限定されるものではなく、適宜変更可能である。
【００１４】
支柱部材１は、断面が略四角柱状の棒状材であり、例えば、塩化ビニル樹脂やアクリル樹脂で作られている。適宜の長さ寸法を有する複数本の支柱部材１が接続され組み立てられて、シールドブース１０の骨組みが構成されている。なお、骨組みを補強するため支柱部材１間には必要に応じて複数のステーＳｔが取り付けられている。また、支柱部材は、断面が略四角柱状のものに限らず、その他の多角形状や円形状のものを適用できる。
【００１５】
包囲体２は、支柱部材１に取り付けられて、その内部に外気を遮断するように内空間を形成するものである。具体的には、包囲体２は各支柱部材１間に取り付けられる適宜の大きさの複数のパネル板であり、透光性を有し、好ましくは透明の材料で形成されている。例えば、パネル板は、アクリル樹脂、ポリカーボネート樹脂やウレタン樹脂で形成されたものを用いることができる。因みに、パネル板の厚さ寸法は０．３ｍｍ〜５．５ｍｍのものが用いられる。
次に、図５乃至図１３を参照して支柱部材１について詳細に説明する。
【００１６】
本実施形態の支柱部材１は、シールドブース１０の骨組みを構成するにあたり、底面から立設するように設けられる縦材及び横材からなる支柱部材１ａと、底面側を枠状に形成する支柱部材１ｂとの２種類からなっている。
【００１７】
図５は、支柱部材１ａを示す部分的な斜視図であり、図６は、支柱部材１ａの端面を示している。図７は、支柱部材１ｂを示す部分的な斜視図であり、図８は、支柱部材１ｂの端面を示している。図９は、支柱部材１ａにシール部材が配設された状態を示し、図１０は、支柱部材１ｂにシール部材が配設された状態を示している。また、図１１は、支柱部材１ａ、１ｂが接続されて組み立てられている状態を示し、図１２は、支柱部材１を接続して連結する連結金具を示し、図１３は、連結金具による支柱部材１の固定状態を示している。
【００１８】
図５及び図６に示すように支柱部材１ａの周面には長手方向に沿って複数の溝部１１（第１の溝部）が形成されている。すなわち、四角柱状の各４つの周面の中央部に長手方向に沿って溝部１１が形成されている。具体的には、溝部１１は、端面において、周面から中心部に向かうスリット部１２と、このスリット部１２と連続して先端部に膨出するように形成されシール部材が配設されるシール部材配設部１３とから形成されている。
【００１９】
スリット部１２は中心方向へ向かって直線状に形成されており、シール部材配設部１３は中心方向へ向かって砲弾状に形成されていて、スリット部１２の中心方向の長さ寸法をａ、シール部材配設部１３の中心方向の長さ寸法をｂとすると、ａ＜ｂの関係にある。また、スリット部１２の幅方向の長さ寸法をｃ、シール部材配設部１３の幅方向の長さ寸法をｄとすると、ｃ＜ｄの関係にある。つまり、シール部材配設部１３は、スリット部１２より中心方向及び幅方向の長さ寸法が大きく形成されている。
【００２０】
図７及び図８示すように支柱部材１ｂの周面には長手方向に沿って複数の第１の溝部１１と第２の溝部１４とが形成されている。第１の溝部１１は３つの周面に形成されており、第２の溝部１４は１つの周面に形成されており、外方へ突出するシール部材１６が取り付けられる取付溝であり、半円形状の嵌合溝である。また、第２の溝部１４は開口部の幅寸法Ｗが半円形の直径ｄより小さい寸法関係にある。
【００２１】
図９及び図１０は、支柱部材１ａ及び１ｂに、シール部材１５及び外方へ突出するシール部材１６が配設され、包囲体２であるパネル板が取り付けられる状態の例を示している。
【００２２】
図９に示すように支柱部材１ａの溝部１１におけるシール部材配設部１３にシール部材１５が配設され、パネル板がスリット部１２に差し込まれるようになっている。シール部材１５には断面が円形状の弾力性を有するゴムや樹脂材料が用いられる。したがって、パネル板の端縁はシール部材１５に当接されシールドが確保される。
【００２３】
図１０に示すように支柱部材１ｂの溝部１１には、同様にシール部材１５が配設され、パネル板がスリット部１２に差し込まれる。一方、第２の溝部１４には、支柱部材１ｂと設置面との間をシールドするための外方へ突出するシール部材１６が取り付けられている。シール部材１６には断面が円形状のシリコーンゴム等の弾力性を有するものが用いられ、好ましくはＯリングが用いられる。したがって、シール部材１６は半円形状の嵌合溝である第２の溝部１４にしっかりと嵌合されて取り付けられる。
【００２４】
このように四角柱状の支柱部材１の複数の周面、具体的には各周面に長手方向に沿って溝部１１が形成されているので、支柱部材１の組み立て配置の自由度を高めることができる。
【００２５】
図１１乃至図１３に示すように、支柱部材１ａ、１ｂが接続され組み立てられてシールドブース１０の骨組みが構成される。また、前述のように支柱部材１ａ、１ｂの溝部１１にパネル板が差し込まれ取り付けられる。さらに、組み立てられて底面側に配置される４本の支柱部材１ｂによって枠状であって矩形状の枠状部Ｆｍが形成される。
加えて、隣接する支柱部材１ａ、１ｂは連結金具であるＬ形プレート８によって接続固定される。
【００２６】
図１３（ａ）は隣接する支柱部材１をＬ形プレート８によって固定する前の状態を示し、図１３（ｂ）は固定した後の状態を示している。図に示すようにＬ形プレート８をボルト９ａとナット９ｂによって固定する。図１３（ａ）に示すように溝部１１のシール部材配設部１３にナット９ｂを配置し、ボルト９ａをＬ形プレート８の取付穴８ａを通してナット９ｂに結合し、図１３（ｂ）に示すようにＬ形プレート８を固定する。
【００２７】
メインブロック１０ａは、人Psが入り収容できる直方体形状の内空間を形成する領域であり、底面にはマット部材３が配設されていて、一側面には入口扉４が設けられている。また、上面（天井面）及び背面にはフィルタ５が設けられている。さらに、内空間には椅子Ｃａが配置されている。
図１４乃至図１７を参照してマット部材３について説明する。
【００２８】
図１４に示すようにマット部材３は矩形状をなしていて、クッション性及び所定の柔軟性を有し、厚さ寸法は２５ｍｍ〜４０ｍｍ程度である。また、材質としてはクッション性及び所定の柔軟性を有していれば格別限定されるものではなく、ゴム、ポリ塩化ビニル樹脂、ポリウレタン樹脂等のものや繊維状のものを用いることができる。
【００２９】
また、マット部材３の側面の外周側の全周にはシール部３１が設けられている。シール部３１は弾力性を有していて、マット部材３の外周側における厚さ寸法内に設けられる。シール部３１には弾力性を有するゴムや樹脂材料が用いられており、本実施形態では、好ましくはＯリングが用いられる。
【００３０】
詳しくは、マット部材３の外周側には、断面が半円形状の嵌合溝３２が形成されており、この嵌合溝３２にシール部３１のＯリングが嵌合し取り付けられるようになっている。
【００３１】
図１５及び図１６に示すようにマット部材３は、シールドブース１０のメインブロック１０の底面に配設される。図１５はマット部材３を底面に配設する状態を示し、図１６は、マット部材３の底面への配設が完了した状態を示している。
【００３２】
図１５及び図１６において、組み立てられて底面側に配置される４本の支柱部材１（１ｂ）によって枠状であって矩形状の枠状部Ｆｍが形成されている。この枠状部Ｆｍの内周側にマット部材３が配設される。具体的には、図１７に示すようにマット部材３は、枠状部Ｆｍを形成する支柱部材１（１ｂ）の内周壁に、マット部材３のシール部３１が弾性的に当接して密着するように取り付けられる。
【００３３】
また、図１０を併せて参照して示すように支柱部材１（１ｂ）には、長手方向に沿って第２の溝部１４として半円形状の嵌合溝が形成されている。この嵌合溝は設置面側に位置し、嵌合溝にはシール部材１６が嵌合し取り付けられて設けられている。なお、他の３面には長手方向に沿って、包囲体２であるパネル板を差し込んで取り付ける第１の溝部１１が形成されている。
【００３４】
以上のようにシールドブース１０とシールドブース１０の設置面との間のシールドは、シールドブース１０の底面側（設置面側）の支柱部材１（１ｂ）に設けられているシール部材１６により行われる。これにより、シールドブース１０とシールドブース１０の設置面との間から侵入する外気を遮断することができる。
【００３５】
一方、設置面は若干傾斜していたり、凹凸が形成されていたりして、平坦ではない場合が多々ある。このような場合、支柱部材１（１ｂ）のシール部材１６ではシールドブース１０の設置面との間に隙間が発生し、シールドが十分ではない可能性が生じる。
【００３６】
したがって、底面側の支柱部材１（１ｂ）によって形成される枠状部Ｆｍに、クッション性及び所定の柔軟性を有し、外周側にシール部３１が設けられたマット部材３を取り付けるようにしたものである。マット部材３の外周側と枠状部Ｆｍの内周側との間にシール部３１が介在されるので、設置面の傾斜や凹凸をマット部材３で吸収してシール部３１によってシールドブース１０とシールドブース１０の設置面との間のシールドが効果的に確保できる。なお、シール部３１は、シールドを確保するうえで所定の弾力性を有する場合には、マット部材と一体的に構成されていてもよい。また、シールドブース１０の設置面の状況によっては、マット部材３を設けることなく、支柱部材１（１ｂ）の嵌合溝１２に取り付けられるシール部材１３によってシールドブース１０とシールドブース１０の設置面との間のシールドを完結するようにしてもよい。
【００３７】
次に、図１８乃至図２２を参照して入口扉４について説明する。図１８は入口扉の正面図であり、図１９は図１８中、Ｘ−Ｘ線に沿う断面図であり、図２０は入口扉の側断面図である。また、図２１は図２０中、Ａ部の拡大図であり、図２２は扉本体とタイミングプーリとの関係を示す構成図である。
【００３８】
入口扉４はシールドブース１０内への人Psの出入り口であり、シールドブース１０内と外部とがシールド手段によりシールドされるようになっている。また、入口扉４は電動の巻き上げ式であり扉本体が上下動して開閉するようになっている。
入口扉４は、外殻を構成する縦長で略長方形状の枠部材４１と、扉本体４２と、シールド手段であるエアチューブ４３と、駆動機構４４とを備えている。
【００３９】
枠部材４１は、断面が四角形状であり、略長方形状の内周側の全周には後述するエアチューブ４３及び扉本体４２の周縁部が配設される配設溝４１ａが形成されている。枠部材４１の材料としては塩化ビニル樹脂やアクリル樹脂を用いることができる。
【００４０】
扉本体４２は、アクリル樹脂等で形成された厚さの薄いシート状であって、透明な軟質合成樹脂であることが好ましい。扉本体４２の裏面の両側には、長手方向に沿ってタイミングベルト４２ａが貼着されている。また、扉本体４２の下端側には、扉ガイド４２ｂが設けられている。扉ガイド４２ｂは、所定の硬質性を有する金属薄板、例えば、一般構造用圧延鋼材で形成することができる。
【００４１】
エアチューブ４３は、枠部材４１の内周側における配設溝４１ａに配設されている。このエアチューブ４３には、シールドブース１０内の図示しない足踏み式エアポンプから空気が注入されるようになっていて、足踏み式エアポンプの駆動によりエアチューブ４３は拡径又は縮径される。したがって、扉本体４２を閉めた状態で足踏み式エアポンプを駆動させてエアチューブ４３を拡径することにより、配設溝４１ａに対応する扉本体４２が配設溝４１ａの周壁に圧接されて、扉本体４２はシールドされるようになる。
【００４２】
駆動機構４４は、モータ４４ａ、上下動プーリ４４ｂ、タイミングプーリ４４ｃを備えている。モータ４４ａの駆動により、その駆動力が上下動プーリ４４ｂ、扉本体４２のタイミングベルト４２ａへ伝達され、タイミングベルト４２ａとタイミングプーリ４４ｃとの噛み合いを伴って扉本体４２は上下動し、扉本体４２は入口扉４を開閉する。また、この扉本体４２を下降させて入口扉４を閉めた状態にする場合、扉ガイド４２ｂは硬質性及び若干の重量を有するので枠部材４１の下辺側の配設溝４１ａに容易に配置されるようになる。したがって、扉本体４２は、扉ガイド４２ｂが配設溝４１ａに案内されることによって容易かつ確実に閉状態又は開状態とすることができる。また、駆動機構４４は、シールドブース１０内の図示しないフットスイッチを操作することにより駆動できるようになっている。なお、入口扉４の扉本体４２の開閉は、手動操作で行えるようにしてもよい。
【００４３】
再び、図１乃至図４を参照して示すように、メインブロック１０ａの上面（天井面）及び背面にはフィルタ５が設けられている。フィルタ５には、不織布やウレタン樹脂等の材料、又はこれらの複合材料が用いられ、このフィルタ５は空気の流通は許容するがウイルスや細菌の侵入を抑制する機能を有している。
【００４４】
サブブロック１０ｂは、メインブロック１０ａの正面（前面）側に設けられ、メインブロック１０ａより小さい容積の直方体形状の内空間が包囲体２であるパネル板で形成された領域である。サブブロック１０ｂは、例えば、皿に盛られた飲食物を出し入れし、及び飲食物を載置して飲食を行う領域である。したがって、サブブロック１０ｂには飲食の出入口６が設けられている。この飲食の出入口６は正面側又は一側面側に設けられている。飲食の出入口６を設ける位置は、シールドブース１０の設置態様に対応して選定される。
【００４５】
このサブブロック１０ｂの内空間の領域は、メインブロック１０ａの内空間の領域と連通しているとともに、サブブロック１０ｂはメインブロック１０ａに対してスライドして上下動の高さ調整が可能となっている。つまり、サブブロック１０ｂの底面側は、テーブルＴｂの高さ寸法に合わせて調整して固定できるようになっている。仮に、テーブルＴｂの高さ寸法が低い場合には、サブブロック１０ｂを下方移動させてサブブロック１０ｂの底面側をテーブルＴｂの高さ寸法と合わせるようにして固定する。この場合、サブブロック１０ｂの上面側は、メインブロック１０ａの上面側より低い位置となり段差が生じるが、調整用のパネル板を用意して、この調整用のパネル板を段差部分に充当し、内空間のシールドを確保する。
【００４６】
また、サブブロック１０ｂの底面にはマット部材３´が配設されている。したがって、マット部材３´はテーブルＴｂの上面に位置されるようになっている。このマット部材３´は前述のメインブロック１０ａの底面に配設されるマット部材３と同様な構成となっている。つまり、マット部材３´の側面の外周側の全周には弾力性を有するシール部３１´が設けられている。シール部３１´には弾力性を有するゴムや樹脂材料が用いられており、好ましくはＯリングが用いられる。
【００４７】
したがって、マット部材３´の外周側と枠状に構成されている支柱部材１の内周側との間にシール部３１´が介在されるようになり、サブブロック１０ｂの底面とテーブルＴｂの上面との間のシールドが確保でき、適切に外気を遮断することが可能となる。また、マット部材３´によって飲食を伴う汚れ等の処理が容易となる。
【００４８】
図２３に示すように飲食の出入口６は、パネル板に形成された開口部６１、この開口部６１を閉塞する開閉可能な蓋体６２を備えている。また、開口部６１の周縁部に配設され、開口部６１の周縁部と蓋体６２の内側の周縁部との間に介在するシールド手段としてのエアチューブ６３を有している。
【００４９】
開口部６１は、パネル板を矩形状にカットして形成されており、この開口部６１を閉塞する蓋体６２は、下辺側がヒンジ６２ａによってパネル板と連結されており、上辺側にはファスナーテープ６２ｂが設けられていてパネル板側に係着できるようになっている。つまり、蓋体６２は、開口部６１に対しヒンジ６２ａによって開閉可能となっており、ファスナーテープ６２ｂによって閉状態を保持できるようになっている。
【００５０】
また、蓋体６２を閉めた状態において、前述の入口扉４のエアチューブ４３と同様に、足踏み式エアポンプを駆動させてエアチューブ６３を拡径することにより、開口部６１の周縁部と蓋体６２の内側の周縁部との間がエアチューブ６３によりシールドされるようになる。
【００５１】
加えて、サブブロック１０ｂの一側には、マイク及びスピーカ７が設けられている。このマイク及びスピーカ７は、マイク一体型のスピーカを適用するのが好ましい。したがって、シールドブース１０内の人Ｐｓは外部との会話が可能となっている。
【００５２】
なお、感染症の防止を強化し快適性を向上するために、シールドブース１０内に紫外線光源、二酸化炭素センサ、酸素センサ、フィルタ付きの換気扇等を設けるようにしてもよい。
【００５３】
以上のようなシールドブース１０は、支柱部材１によって骨組みが構成され、この支柱部材１に包囲体２であるパネル板が取り付けられ組み立てられて設置される。
【００５４】
例えば、飲食店等でのシールドブース１０の使用にあったっては、まず、シールドブース１０の扉本体４２が開いている状態で、使用者（客）は入口扉４からシールドブース１０内へ入る。そして、フットスイッチを操作して駆動機構４４を駆動し、扉本体４２を閉める。足踏み式エアポンプを駆動し、エアチューブ４３を拡径させて扉本体４２をシールドする。
【００５５】
次いで、椅子Ｃａに着座してタブレット端末を通じて飲食物を注文する。店側との会話はマイク及びスピーカ７によって行われる。注文された飲食物は飲食の出入口６を通じてサブブロック１０ｂ内に配膳されて使用者に提供される。飲食の出入口６の開閉動作は、前記扉本体４２の開閉動作と同様である。なお、飲食の出入口６を開けたときに、外気の侵入を防ぐため、シールドブース１０内に換気扇Ｖを設け、飲食の出入口６を開けるとともに換気扇Ｖが駆動し、シールドブース１０内の空気を外部に排出送風するようにしてもよい。
【００５６】
したがって、使用者はシールドブース内の外気から遮断された内空間で安全に飲食を行うことができる。また、店内であってシールドブース１０外での歩行移動の場合には、感染防止用のフェイスマスクやキャップ等を着用するのが望ましい。
【００５７】
なお、図２４及び図２５に示すようにシールドブース１０を複数連接して構成する設置態様を採用することもできる。図２４は、カウンタ席において２席を連接した状態を示す上面図であり、図２５は、テーブル席において４席を連接した状態を示す上面図である。
【００５８】
図２４に示す２席の場合には、入口扉４が対称的に配置するように構成される。また、図２５に示す４席の場合には、入口扉４を対称的に配置又は背面側に配置したり、飲食の出入口６を対称的に配置したりして、使い易い配置の変更を行うことが好ましい。さらに、シールドブース１０を複数連接する場合には、各シールドブース１０間での相互の会話が可能なようにマイク及びスピーカ７を接続する。また、支柱部材１の４つの周面に溝部１１が形成されているので、各シールドブース１０間の境界部分に配置される支柱部材１は共通に用いることができる。
【００５９】
次に、図２６乃至図３５を参照して、支柱部材による骨組みの構成について前述とは異なる実施形態を説明する。本実施形態は前述の実施形態と基本的な構成は同様であるが、支柱部材の接続方法が異なっている。本実施形態では継手部材を用いて支柱部材を接続し組み立てが行われるようになっている。
【００６０】
図２６は、支柱部材１ａを示す部分的な斜視図であり、図２７は、支柱部材１ａの端面を示している。図２８は、支柱部材１ｂを示す部分的な斜視図であり、図２９は、支柱部材１ｂの端面を示している。また、図３０は、継手部材２０を示す斜視図であり、図３１は、継手部材２０を示す正面図、上面図及び側面図であり、図３２は、継手部材３０を示す斜視図であり、図３３は、継手部材３０を示す正面図、上面図及び側面図である。図３４は、支柱部材１ａ、１ｂが接続固定される前の状態を示し、図３５は、支柱部材１ａ、１ｂの接続固定が完了した状態を示している。なお、各図において、前述の実施形態と同一又は相当部分には同一又は相当符号を付し、重複する説明は省略する。
【００６１】
図２６及び図２７に示すように支柱部材１ａの周面には長手方向に沿って複数の溝部１１（第１の溝部）が形成されている。また、支柱部材１ａの端面における略中央部には長手方向に沿って嵌合孔１７が形成されている。詳しくは、嵌合孔１７は中央部から外側へ放射状に突出する複数、具体的には４つの出っ張り部１７ａを有している。この嵌合孔１７には、後述する継手部材２０、３０の突出部２２、３２が嵌合される。
【００６２】
図２８及び図２９示すように支柱部材１ｂの周面には長手方向に沿って複数の第１の溝部１１と第２の溝部１４とが形成されている。第１の溝部１１は３つの周面に形成されており、第２の溝部１４は１つの周面に形成されており、外方へ突出するシール部材１６が取り付けられる取付溝であり、半円形状の嵌合溝である。また、支柱部材１ｂの端面における略中央部には支柱部材１ａと同様に、嵌合孔１７が形成されている。
【００６３】
次に、図３０乃至図３３を参照して継手部材２０、３０について説明する。継手部材２０、３０は、支柱部材１ａ、１ｂを接続固定して組み立てる場合に用いる部材である。
図３０及び図３１に示すように継手部材２０は、支柱部材１ａを接続固定する場合に用いられ、本体部２１と、突出部２２とを有している。
【００６４】
本体部２１は立方体形状であり、各面（６面）の各辺（４辺）には、前述の支柱部材１ａに形成された溝部１１と端面における形状が同様な溝部２１ａが形成されている。つまり、辺側からら中心部に向かうスリット部２１ｂと、このスリット部２１ｂと連続して先端部に膨出するように形成されたシール部材配設部２１ｃとから形成されている。また、溝部２１ａは隣接する面に形成された溝部２１ａと相互に連通するようになっている。
【００６５】
突出部２２は、本体部２１の適宜の面から外方へ向かって複数突出しているものであり、支柱部材１ａの嵌合孔１７に嵌合されて、支柱部材１ａ相互を接続固定する機能を有している。また、複数の突出部２２は、異なる方向に突出、具体的には、それぞれ直交する方向に突出しており、かつ突出部２２は、嵌合孔１７と同様な外形をなしていて、嵌合孔１７に嵌合されるようになっている。突出部２２が嵌合孔１７に嵌合された後、テーパーノックピンを打ち込んで接続固定する。なお、複数の突出部２２の個数や形成する面は用途に応じて、つまり、接続固定する支柱部材１ａの配置関係に応じて適宜選定することができる。
【００６６】
図３２及び図３３に示すように継手部材３０は、底面側に配置される支柱部材１ｂを接続固定する場合に用いられ、継手部材２０と同様に本体部３１と、突出部３２とを有している。また、本体部３１の一面（底面）側には４辺から中央部へ向かう半円形状の嵌合溝３３が形成されている。この嵌合溝３３には外方へ突出するシール部材１６が取り付けられる。
図３４及び図３５に示すように、継手部材２０、３０が用いられ、支柱部材１ａ、１ｂが接続され組み立てられてシールドブース１０の骨組みが構成される。
【００６７】
図３４に示すように接続固定する支柱部材１ａ、１ｂの相互の端面に継手部材２０、３０を配置し接続する。具体的には、継手部材２０、３０の突出部２２が支柱部材１ａ、１ｂの嵌合孔１７に圧入され、隣接する支柱部材１ａ、１ｂ相互が接続固定される。
【００６８】
また、支柱部材１ａ、１ｂの溝部１１におけるシール部材配設部１３及び継手部材２０、３０の溝部２１ａにおけるシール部材配設部２１ｃにはシール部材１５が配設される。さらに、第２の溝部１４及び継手部材３０の嵌合溝３３には外方へ突出するシール部材１６が取り付けられる。
【００６９】
このような状態で、支柱部材１ａ、１ｂの溝部１１におけるスリット部１２及び継手部材２０、３０の溝部２１ａにおけるスリット部２１ｂにパネル板が差し込まれるようになっている。したがって、パネル板の端縁はシール部材１５に当接されシールドが確保される。また、支柱部材１ｂの第２の溝部１４及び継手部材３０の嵌合溝３３には、支柱部材１ｂと設置面との間をシールドするための外方へ突出するシール部材１６が取り付けられる。そして、図３５に示すように支柱部材１ａ、１ｂが接続固定されて組立てが完成する。  
【００７０】
このような支柱部材１ａ、１ｂによる骨組みの構成について継手部材２０、３０を用いることにより、部品点数を少なくして組み立て作業を簡単に行うことができる。
【００７１】
以上のように本実施形態によれば、組み立ての自由度が向上でき、かつシールド効果を向上することができる支柱部材及びシールドブースを提供することが可能となる。
【００７２】
本考案は、上記実施形態の構成に限定されることなく、考案の要旨を逸脱しない範囲で種々の変形が可能である。また、上記実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００７３】
１・・・・支柱部材
１１・・・第１の溝部
１２・・・スリット部
１３・・・シール部材配設部
１４・・・第２の溝部
１５，１６・・・シール部材
１７・・・嵌合孔
２０、３０・・・継手部材
２２、３２・・・突出部
３・・・・マット部材
３１・・・シール部
４・・・・入口扉
４２・・・扉本体
４３・・・エアチューブ
４４・・・駆動機構
５・・・・フィルタ
６・・・・飲食の出入口
６２・・・蓋体
６３・・・エアチューブ
７・・・・マイク及びスピーカ
８・・・Ｌ形プレート
１０・・・シールドブース
１０ａ・・メインブロック
１０ｂ・・サブブロック
Ｆｍ・・・枠状部
Ｓｔ・・・ステー
Ｐｓ・・・人
【図１】
0003232989.tif 000003
【図２】
0003232989.tif 000004
【図３】
0003232989.tif 000005
【図４】
0003232989.tif 000006
【図５】
0003232989.tif 000007
【図６】
0003232989.tif 000008
【図７】
0003232989.tif 000009
【図８】
0003232989.tif 000010
【図９】
0003232989.tif 000011
【図１０】
0003232989.tif 000012
【図１１】
0003232989.tif 000013
【図１２】
0003232989.tif 000014
【図１３】
0003232989.tif 000015
【図１４】
0003232989.tif 000016
【図１５】
0003232989.tif 000017
【図１６】
0003232989.tif 000018
【図１７】
0003232989.tif 000019
【図１８】
0003232989.tif 000020
【図１９】
0003232989.tif 000021
【図２０】
0003232989.tif 000022
【図２１】
0003232989.tif 000023
【図２２】
0003232989.tif 000024
【図２３】
0003232989.tif 000025
【図２４】
0003232989.tif 000026
【図２５】
0003232989.tif 000027
【図２６】
0003232989.tif 000028
【図２７】
0003232989.tif 000029
【図２８】
0003232989.tif 000030
【図２９】
0003232989.tif 000031
【図３０】
0003232989.tif 000032
【図３１】
0003232989.tif 000033
【図３２】
0003232989.tif 000034
【図３３】
0003232989.tif 000035
【図３４】
0003232989.tif 000036
【図３５】
0003232989.tif 000037